(57)【要約】      （修正有）【課題】電熱を利用したり、風の流れを変える壁を設置したり、ワイヤーを操作してカットするなど、いろいろな雪庇落としが発明されてきているが、価格や見栄えや使い勝手の悪さや複雑さなどの問題あり、目立たず簡単で経費や無駄なエネルギーを使わない身近に手の届く雪庇落とし装置により、誰でも簡単に雪庇を落とすことが出来ることを提供する。【解決手段】屋根からせり出し落下の危険を伴う雪庇１５を、一部又は全部がバネで出来ている複数のワイヤー支持棒１間に、カット用ワイヤー３を適度な張力をもって結束させ、ワイヤー支持棒の上部に引っ張り用ワイヤー１３を結束する事により構成される雪庇落とし装置で、引っ張り用ワイヤー１３を引っぱることにより雪庇をカットして落とす雪庇落とし装置とその部材であるワイヤー支持棒に関する。【選択図】図６
2019152086.tif 000002
【特許請求の範囲】
【請求項１】
ワイヤー（３）の支持棒（１）にして、その一部又は全部がバネ（２）で出来ていることを特徴とするワイヤー支持棒。
【請求項２】
請求項１のワイヤー支持棒（１）にして、その支持棒の先を直角に曲げた（１１）ことを特徴とする請求項１のワイヤー支持棒。
【請求項３】
請求項１のワイヤー支持棒（１）にして、その支持棒の先にワイヤー取り付け部（６）を設けたことを特徴とする請求項１のワイヤー支持棒。
【請求項４】
請求項１のワイヤー支持棒（１）にして、バネ部分がキックバネ（２１）であることを特徴とする請求項１のワイヤー支持棒。
【請求項５】
請求項１のワイヤー支持棒（１）の複数間に張り巡らせた雪庇カット用ワイヤー（３）と、１本以上のワイヤー支持棒（１）上部に連結させた引っ張り用ワイヤー（１３）で構成される雪庇落とし装置。
【請求項６】
請求項５の雪庇落とし装置にして、引っ張り用ワイヤー（１３）を巻き取るワイヤー巻取り装置（２３）を設置することを特徴とする雪庇落とし装置。
【発明の詳細な説明】
【技術分野】
【０００１】  本発明は、屋根から頑固にせり出し落下の危険を伴う雪庇を、屋根から切り落とすのに好適な雪庇落とし装置と、その構成部材であるワイヤー支持棒に関する。
【背景技術】
【０００２】  現在までも雪庇対策として、面体発熱体やリボン発熱体など電気で融雪して解決しようとするもの。風の流れを流体制御する構造物。２本の支柱にかけ渡された第一のワイヤーと第二のワイヤーを用いてカットする発明など様々な形態がある。（例えば特許文献１）。
【先行技術文献】
【特許文献】
【０００３】
【特許文献１】特開２０１５−８６５６０（Ｐ２０１５−８６５６０Ａ）
【発明の概要】
【発明が解決しようとする課題】
【０００４】特許文献１の雪庇切断装置は、二人で切断部のついているワイヤーを引き合って切断するため、一人では作業ができない。又、一面除雪だけでもしっかりした支柱が２本必要で、ワイヤーも上下に配置する。更に一本は切断部と呼ぶ鋸刃状の凸部をワイヤーの条件としていて、ワイヤー巻取り装置とか構造も多少複雑で結局工事等コストも掛かる。【０００５】更に請求項３で、ワイヤー先端部の雪庇切断部を保持する取っ手部を設けることを特徴とするとある。雪庇切断部を囲って保持するという点では新規性があるかもしれないが、取っ手は普通のターミナル金物はホームセンターで何種類も売っていて、ワイヤーの先端に取り付けるのは一般的であるから請求するほどの特段の進歩性は何ら感じられない。【０００６】実際、昔は家の断熱が悪かったので、屋根の雪が屋内の暖房の熱で溶かされツララになったり雪庇が氷状になることが多かった。今でも長く放置して溶けたり凍結したりを繰り返せばアイスバーン状になることはあり得る。しかし現在では家屋の断熱性能が高いので、屋根に積もる雪庇は、通常は長い時間が経過しても多少固まっただけの雪である。【０００７】現実には今まで発明された装置が色々難があるので、人力による雪下ろしとか、雪下ろし棒で下から突っつくとか、雪は春になれば溶けるから、多少危険だなと思っていても我慢してしまっているのが現状だ。家屋の構造に負荷を掛けない、安価で簡単で無駄なエネルギーを使わない、身近に手の届く雪庇落とし装置の出現が望まれる。【０００８】本発明は、以上のような問題を解決するため最もシンプルな雪庇落とし装置と、その構成部材である」ワイヤー支持棒を提供することを目標としている。
【課題を解決するための手段】
【０００９】  本発明の雪庇落とし装置は、少なくとも２本以上の本発明のワイヤー支持棒（図１）の間に張り渡されたカット用ワイヤー３とその支持棒の一方又は複数の先端に結ばれた引っ張り用ワイヤー１３（又はロープ等でも良い）で構成される。（図７）（請求項５）【００１０】  本発明の雪庇落とし装置は、雪が降り積もり軒先から雪庇１５がはみ出し始めたら、引っ張り用ワイヤー１３を持ち、下から強く引いたり緩めたりする事によりなされる。（図６）図１０，１１に示したように、ワイヤー巻取り装置を設置している場合は、レバー２４を上下に動かすことによりなされる。
但し、図８の場合はガチャガチャ引ぱったりして支持棒を歪ませて落とす事になる。【００１１】  本発明請求項１のワイヤー支持棒（１、２、３）は、その一部又は全部がバネで出来ているので、引っ張り用ワイヤー１３を地上から引っ張れば、バネの弾性で引かれた方向に歪んで倒れ、カット用ワイヤ３とその先に連結されている支持棒１も一緒にリンクして下に向けて動く。（図６）図１、図２に描いた押しバネ系は３６０°動くが、図３に書いたキックバネ（２１）は１８０°しか動かないので一方向面だけの除雪に適する。【００１２】  その際、下に下がるワイヤーや支持棒が雪庇をカットするが、一度に切れないときは引っ張り用ワイヤーを緩めれば、支持棒がバネの弾性で元に戻るので何度も行ったり来たりしてカットできる。実際のところ新雪は柔らかいので、ちょっとした刺激だけでも砕けて落ちる。いつもの地面の除雪の前に、引っ張りワイヤーを引いてマメに雪庇をカットしていれば、固く氷状になることは先ずない。【００１３】  ビルやマンションなど大きな建物で雪庇の幅の距離が長くなる時は、ワイヤーが何本もの支持棒に結ばれてくるので、バネの力が全部加わって手で引くには重くなりすぎる。そのような時  請求項６の、ワイヤー巻取り装置を設置すれば、レバーを下に下げると力が掛けやすく梃子の力も働いて楽に引っ張れる。図１０に示したワイヤー巻取り装置は一例で、単なるドラムだけの巻取り装置でも良いし、サーボモーターを使った電動でも良い。【００１４】  本発明のワイヤー支持棒は、取り付け用のベースになる金物が必要になるが、Ｌ字の折板７、平板、丸棒保持用バンド９、コーナー金物５等取り付け場所に合わせて一体に溶接して溶着させたものである。ベースは既存の技術の中から用途に合わせて選択する。
【発明の効果】
【００１５】  本発明によるワイヤー支持棒図１、２，３の台座を除く部分は、バネ製造メーカーの自動式機械で一瞬のうちに製作可能である。台座との溶接はあるが、実際の現場での支持棒とワイヤー取り付け工事でも、支持棒のビス止めと、ワイヤーを張ってスリーブやクランプ管等のカシメ位なので、１メートル数万円というような過去の装置と比べると、恐ろしくシンプル故コストも掛からない。実際に普及が進めば、雪庇落としの為に屋根に登って落下して負傷するとか、雪庇が落下して下敷きになるなどの人身事故や、物損事故等の社会的危険を減らす事が出来る。【００１６】  昨今、少子高齢化で人手が足りないのに、人の出入り口や、道路に面した軒先、商業施設など、危険回避の為にどうしても雪庇を落とさなければならないところは現実に多い。本発明の雪庇落とし装置は、熱の為に電気エネルギーを消費しないし、建物に大きな負荷を掛けることもなく、小さいので目立たたず建物の外観を損なわない。又、一般的な建物では作業者は屋根に上がらないで、落雪してくる真下でなく脇から引っ張ることにより除雪出来るので安全に仕事ができる。
【図面の簡単な説明】
【００１７】
【図１】  本発明のワイヤー支持棒である。（請求項１）
【図２】  本発明のワイヤー支持棒である。（請求項１、３）
【図３】  本発明のワイヤー支持棒である。（請求項１、２、４）
【図４】  本発明ワイヤー支持棒にワイヤー結線の方法を示す図である。
【図５】  図６と共に本発明の作用を示す状態図である
【図６】  本発明の作用を示す状態図である
【図７】  本発明の複数面の配置を示す状態図である。
【図８】  本発明の実施例を示す状態図である。
【図９】  本発明の実施例を示す状態図である。
【図１０】  図１１と共に本発明の実施と作用を示す図である。
【図１１】  本発明の実施と作用を示す図である。
【発明を実施する形態】
【００１８】本発明は、一人で何時でも必要なとき、引っ張り用ワイヤーを引っ張ることにより手軽に雪庇を落とす事が出来るものである。
【実施例】
【００１９】  本発明の雪庇落とし装置とその方法を図に基づいて説明する。図１は、本発明の（請求項１）のワイヤーの支持棒にして、その一部がバネ２で出来ている事を特徴とするワイヤー支持棒である。図２は、本発明の（請求項３）のワイヤーの支持棒で、全部がバネ２でワイヤー取り付け部６が有ることを特徴とするワイヤー支持棒である。
図３は、本発明の（請求項１．２．４）のワイヤーの支持棒であるが、バネ部分をキックバネ（２１）にし、特に鉄塔の架空送電線や丸棒状の配管などに設置できるようバンド９を溶接したもの。ワイヤーとの結束は、ワイヤーと一緒にスリーブを支持棒の先のＬ１１のところでカシメる。一方向にしか曲がらない。８はリングスリーブ、１０はヒンジ。【００２０】図１はコーナー金物５をベースにして、本発明の支持棒を溶接して、カット用ワイヤーを支持棒の先の穴１２に通して左右クランプ管止めしたものである。【００２１】図２は、全体を押しバネで作成、ワイヤー取り付け部６の輪の部分も一体のバネ材で製作したもの。先端のワイヤー取り付け部６に各ワイヤーをくぐらせクランプ管に入れ、それぞれカシメたもの。バネ製作機械は、６も自動機械で一瞬で一体製作出来る。【００２２】支持棒間の距離が長く離れる場合は、ワイヤーが垂れ下がるのを防ぐために間で支える支持棒を入れる場合がある。そのようなときには、ワイヤーが非常に軽いので（例えば１ｍｍのステンワイヤー１００ｍでも４８５ｇ位）細くて弱いバネ材の方が良い。なぜならば、ワイヤーを引っ張るときに太めの支持棒ばかりだとバネの力がプラスされて強くなり引っ張るのが重くなるからである。【００２３】図４は、支持棒先端とワイヤー結束法の別の例を更にＡ．Ｂで示した。
Ａは、ワイヤー取り付け部６にワイヤーをくぐらせ、クランプ管で一緒にカシメたもの。Ｂは、特に加工していない支持棒の先にワイヤーを一回二回巻き付け、上からリングスリーブを被せてカシメた例。Ａ．Ｂ．共にワイヤーを途中でカットすることないので強度を保ち、スリーブ又はクランプ管の使用を減らす。この場合、異種金属接触腐食を避けるため、ステンワイヤーならステンで統一するのが望ましい。【００２４】以上、本発明のワイヤー支持棒について説明してきた。この装置の要は、雪庇を落とす際、引っ張り用ワイヤーを引っ張ったときにバネ故変形し、カット用ワイヤーと引っ張られた反対の支持棒が雪庇にあたって落とすというのが要点で、取り付けのための台座とかワイヤー取付穴などは付帯的な事である。上記を組み合わせたりして現場の状況に合わせ、目的の為に最善の組み合わせを選択するのは当然の事である。【００２５】  図５、６は、実際に雪庇を落とす際に、本発明の雪庇落とし装置がどのように作用し、どのような方法であるかを示した図である。図５は除雪前の状態。図６は、引っ張り用ワイヤー１３を引くことによりワイヤー支持棒ＩとＩＩとカット用ワイヤー３がリンクして下に動いて雪庇１５を落とすことが出来る事を示した。除雪により雪庇１５落下中の図。
図７は、本発明の雪庇落とし装置を一面のみならず多面に配置する実施例である。引っ張り用ワイヤー１３は、必要な場所に応じて取り付ける。【００２６】  本発明の建物に対する実施例として、フラットな屋根を中心に記したが、マンションやビルなど又看板や信号機など本発明を必要とする場所は広くある。
又、レーザーなどの積雪センサーを設置して、−定の雪庇を検知したら自動的にサーボモーターが、ワイヤー１３を巻き取ったり緩めたりして落とすことも物理的には可能だが、実施実験は今後の研究課題である。【００２７】図８は、太い架空送電線１８に積る雪を人海戦術で落としているという現実があるので、太い送電線にバンドをベースにした図３のワイヤー支持棒（バネ部分は押しバネになっている）を設置したものである。引っ張り用ワイヤー３が引かれ、支持棒間に２本に分かれて結ばれたカット用ワイヤー１３が、支持棒の先を下げて積もった雪を真ん中からカットして落とす事ができる。架空送電線は、絶縁物の無いむき出しの電線なので、引っ張り用ワイヤーの絶縁は厳重に必要となる【００２８】  図９は、橋の上弦材１９に本発明の雪庇落とし装置を設置した実施例である。
橋の上弦材に降り積もった雪の除雪は、深夜に交通止めして人海戦術で行われている。本発明の雪庇落とし装置を設置すれば上弦材の滑り如何では除雪可能である。その際、図面のように交互に斜めに設置して連結すれば、切られた積雪が引っ掛からづ流れやすい。
雪庇だけを落とすのであれば、縁の方に一直線に配置するのは家屋と同様である。
更に、滑りやすいガラスで表面を覆われ、地面から垂直方向の角度をもって設置されている太陽電池に降り積もった雪の除雪にも使用できる可能性もある。
尚、図８、図９は、雪庇ではなく、積雪落としとして使用している。【００２９】  図１０、１１は、ビルや、マンションなどで、この雪庇落とし装置のワイヤーが長く張られ、何本もの支持棒に支えられて来て、手で引っ張るのが重くて難しい場合にワイヤー巻取り装置２３を設置した場合である。図は、レバーを下に下げてギヤ２５，２９を回し、２９と一緒に動くワイヤー巻取りドラム２６がカット用ワイヤー３を巻き取ることにより多数に渡る本発明の支持棒１とカット用ワイヤーを引き倒す。倒れた支持棒とカット用ワイヤーが雪庇をカットして落とすのは同様である。巻取り装置も色々あって、これにより幾分経費が掛かるが、カットする雪庇の量とか規模を考えれば尚メリットは大きい。【００３０】  本発明を構成する部材は、ワイヤー、その支持棒とも厳しい環境での使用になるので、例えば対候性の関係で低温に強いステン系のものになると思う。マイナス２５０°でも耐えるインコネルＸ７５０は高級であるが取り替えるのが難しい場所には向くし、最も普及してリーズナブルなオーステナイト系のＳＵＳ３０４系なども低温には強い。適材適所である。【００３１】  カット用ワイヤー３は、細ければ細いほど切れ味が鋭そうだが、発明者が０．７７ｍｍと１ｍｍで、３か月以上経過して重なった雪庇をカットしてみるとほとんど差を感じなかった。
多少時間がたった雪庇でもワイヤーでシャカシャカカットできる。雪が固まるのは、太陽とか屋内の熱で溶けて又凍結した場合。又は車で踏みつけられたり数メートルも重ねられたりして圧力がかかった場合である。１ｍｍのステンワイヤーで、一般的なもので切断加重８５ｋｇ程度とのことなので、実際に設置するのは１ｍｍ前後が妥当であろうか。
以上のワイヤーは、ステンレスの撚線ワイヤーを前提に書いてきたが、支持棒間で適当な張力を掛かけるということでは、伸びのない針金でも当然同じ効果を出せる。【００３２】引っ張り用ワイヤー１３は、扱いやすさを考えれば細くする必要はない。ワイヤーでなくロープのようなものでもよい。取っ手１４なども既製品を連結しても良いし、輪を作ってリングスリーブでカシメて作っても良い。
【符合の説明】
【００３０】１      本発明のワイヤー支持棒
２      支持棒のバネ部分
３      カット用ワイヤー
４      クランプ管
８．    リングスリーブ
９．    バンド
１０．  ヒンジ
１１．  支持棒の先をＬ字状に曲げた所
１５．  雪庇
１８    架空送電線
１９    橋の上弦材
２１    キックバネ
２２    溶接部
２３    ワイヤー巻取り装置
２４    レバー
２５    ギヤの歯車
２６    ワイヤー巻取りドラム
２７    ワイヤー押さえ
２８    屋上の塀
【図１】
2019152086.tif 000003
【図２】
2019152086.tif 000004
【図３】
2019152086.tif 000005
【図４】
2019152086.tif 000006
【図５】
2019152086.tif 000007
【図６】
2019152086.tif 000008
【図７】
2019152086.tif 000009
【図８】
2019152086.tif 000010
【図９】
2019152086.tif 000011
【図１０】
2019152086.tif 000012
【図１１】
2019152086.tif 000013